(57)【要約】      （修正有）【課題】壁面に対して後付が可能であるために、間仕切板の竪フレームを深く嵌めて支持できる結合構造が得られることで強風にも耐えられる取付金具を提供する。【解決手段】横長の基板１の一端部に、間仕切板Ｐの竪フレーム５を挟む一対の支持片７を突設することにより竪フレームの嵌合部３を設け、基板の他端部が該嵌合部より外へ出る外突片９として形成され、この外突片側の支持片に竪フレーム５に螺入する固定ビス１１の通し孔１３、１５を、外突片９には壁面に螺入する取付ビスの通し孔をそれぞれ設ける。【選択図】図１
0003178601.tif 000002
【実用新案登録請求の範囲】
【請求項１】
横長の基板の一端部に、間仕切板の竪フレームを挟む一対の支持片を突設することにより竪フレームの嵌合部を設け、基板の他端部が該嵌合部より外へ出る外突片として形成され、この外突片側の支持片に竪フレームに螺入する固定ビスの通し孔を、外突片には壁面に螺入する取付ビスの通し孔をそれぞれ設けたことを特徴とする間仕切板の取付金具。
【請求項２】
支持片に設けた固定ビスの通し孔と、外突片に設けた取付ビスの通し孔との少なくとも一方を横長の長孔に形成してあることを特徴とする請求項１記載の間仕切板の取付金具。
【考案の詳細な説明】
【技術分野】
【０００１】
この考案は、殊に集合住宅のベランダを部屋ごとに仕切るために使用する間仕切板の取付金具に関する。
【背景技術】
【０００２】
部屋が横並びとなる集合住宅では、ベランダが災害時の避難通路として使用され得るように通しに設けられる。しかし、通常は往来の必要がなく、プライバシーの観点から隣接部屋との間を封じておく必要があるため、その間に間仕切板が設置され、仕切により常時封じられているが、いざという時にその間仕切板を蹴破って避難通路として利用できるようになっている。
【０００３】
間仕切板は、ベランダに横に吹き込む強風に耐える十分な強度が要求され、一般的に、アルミ押出形材からなるフレームの枠組に、高さ中間で中桟が組み込まれ、中桟の上下に突き破ることのできる木製のボードが組み込まれている。また、間仕切板の取付けについては、従来、間仕切壁の竪フレームを挟むコ字形でその底面に取付ビスの通し孔を有する取付金具が使用されていた。
【考案の概要】
【考案が解決しようとする課題】
【０００４】
上記のようなコ字形の取付金具によれば、壁面に対してコ字形の底面でビス止めされるものであったから、予め間仕切板の竪フレームに嵌着してからでは底面が封じられているため、壁面に対してビス止めするようなことはできなかった。そこで、使用において、建物躯体の壁面に対して予めビス止めして先付けしておき、その後、間仕切板の竪フレームをその取付金具の両側片間に差し込み、コ字形の一片を竪フレームにビス止めする手順を取る必要があったので、十分な取付強度が得られがたかった。
【０００５】
つまり、通路の両側が壁面であって、その両方に予め取付金具を取り付けた場合には、両方の取付金具に同時にフレームを嵌めることができなく、左右に遣り繰りして嵌めることになる関係から、取付金具にフレームを深く安定して嵌めることができなく、浅い結合となり間仕切板を強風に耐えるような深い結合構造にはなりえなかった（図４では、Ｌの寸法が大きく浅い嵌めになるという問題があった）。
【０００６】
この考案は、上記のような実情に鑑みて、壁面に対して後付が可能であるために、間仕切板の竪フレームを深く嵌めて支持できる結合構造が得られる取付金具を提供することを課題とした。
【課題を解決するための手段】
【０００７】
上記の課題を解決するために、この考案は、横長の基板の一端部に、間仕切板の竪フレームを挟む一対の支持片を突設することにより竪フレームの嵌合部を設け、基板の他端部が該嵌合部より外へ出る外突片として形成され、この外突片側の支持片に竪フレームに螺入する固定ビスの通し孔を、外突片には壁面に螺入する取付ビスの通し孔をそれぞれ設けたことを特徴とする間仕切板の取付金具を提供する。
【０００８】
上記の構成によれば、ベランダの通路の両側が壁面であるときには、間仕切板の竪フレームに予め取付金具を深く嵌めてビス止めしておき、間仕切板をこの状態で壁面間に納めながら建物の壁面に外突片をビス止めする要領で間仕切板を据え付ける。
【考案の効果】
【０００９】
以上説明したように、この考案の間仕切板の取付金具によれば、間仕切板の竪フレームにそれを深く嵌めて壁面に対してビス止めできるため、深い結合構造により強風に対して耐えるよう強力に支持でき、また、間仕切板の取付けも容易であり、その作業性を高めることもできるという優れた効果がある。
【図面の簡単な説明】
【００１０】
【図１】この考案の間仕切板の取付金具を使用要領において示す斜視図である。
【図２】間仕切板を据え付けたときの取付金具の使用状態を示す正面図である。
【図３】図２のＡ部を示す拡大断面図である。
【図４】図３のＢ−Ｂ線矢視の断面図である。
【考案を実施するための最良の形態】
【００１１】
この考案の取付金具は、間仕切板Ｐを壁面に対してビス止めするために使用するものである。特に、ベランダ通路の両側が壁面１７，１９であるときに使用が有効である。しかし、外側が起立壁１８ではなく、手摺であるときにも、建物躯体側で使用できる。また、両側が壁面１７，１９である場合でも、次の実施例に述べるように、異なる作業手順を取ることもできる。
【実施例１】
【００１２】
図面は一実施例を示したもので、その間仕切板の取付金具Ｈは、断面Ｆ形の型鋼を短片に部分切断してなるもので、横に長い矩形の基板１に、一端部において間仕切板Ｐの竪フレーム５を挟む一対の支持片７，７を突設し、基板１の端部と、両支持片７，７とからなるコ字形の嵌合部３が形成される。したがって、基板１は、他端部が嵌合部３からの外突片９となっており、全体がＦ型の鋼形に構成される。
【００１３】
嵌合部３には、外突片９と隣接する支持片７に固定ビス１１，１１を通す上下一対の第１通し孔１３，１３が穿設され、また、外突片９には取付ビス１２，１２を通す同じく上下一対の第２通し孔１５，１５が穿設される。
【００１４】
図２は、間仕切板Ｐを据え付けた取付け状態を示したもので、通路の一側が建物躯体１６の壁面１７であり、他側がベランダ２３の張出起立壁１８の壁面１９である。この場合、設計段階においては、間仕切板Ｐの竪フレーム５が嵌合部３に適切に深く嵌るように（図４で、Ｌが小さくなるように）設定しておく。次に、取付手順を２通り示す。
【００１５】
（取付手順第１例）
間仕切板Ｐに対する先付けの場合である。すなわち、間仕切板Ｐの両側の竪フレーム５，５に取付金具Ｈ，Ｈをビス止めする際に、取付金具Ｈ，Ｈでの幅Ｗを両壁面１７，１９間の寸法に合わせる。それから、間仕切板Ｐを両壁面１７，１９の間に嵌め込んで左右両方の取付金具Ｈ，Ｈをそれぞれの壁面１７，１９に取付ビス１２でビス止めし、これで据え付けが完了する。このとき、ビス止めは、取付ビス１２を外突片９に有する通し孔１５から通して容易になすことができる。
【００１６】
(取付手順第２例)
建物躯体１６側の壁面１７に間仕切板Ｐの竪フレーム５の予定位置に沿って上中下の三段に予め取付金具Ｈ，Ｈ，Ｈを取り付けておく場合である。この場合、起立壁１８側については、間仕切壁Ｐのフレーム５に取付金具Ｈ，Ｈを上下二段に深く嵌めて取り付けておく。そして、建物躯体１６側では、壁面１７に既に縦列に取り付けてある取付金具Ｈ、Ｈ、Ｈに竪フレーム５を言わば仮止めとして差し込みながら、起立壁１８側ではフレーム５の取付金具Ｈ，Ｈを壁面１９にビス止めし、最後に壁面１７の取付金具Ｈ，Ｈ，Ｈに既に仮止めしてある縦フレーム５を本止めとして取付ビス１２でビス止めする。
【００１７】
なお、２１はタップ孔２１，２１であり、ビス１１の螺入直前に開けられる。したがって、通し孔１３，１５を長孔にする必要はないが、長孔であると都合が良いときがある。
【符号の説明】
【００１８】
Ｈ  間仕切板の取付金具
Ｐ  間仕切板
１  基板
３  嵌合部
５  竪フレーム
７  支持片
９  外突片
１１  固定ビス
１２  取付ビス
１３、１５  通し孔
１７，１９  壁面
２３  ベランダ
【図１】
0003178601.tif 000003
【図２】
0003178601.tif 000004
【図３】
0003178601.tif 000005
【図４】
0003178601.tif 000006